【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
ディスクに記録された内容を読み出す再生手段と、上記再生手段からの再生出力が入力される音声処理手段と、少なくともディスク情報を記憶する記憶手段と、上記音声画像処理手段の特性を調整する制御手段とを備えたディスク再生装置であって、
ディスク再生時に、上記制御手段がディスク情報を読み出して上記記憶手段に記憶されディスク情報と比較し、一致するディスクがあった場合、該等するディスクの再生チャンネル数、ディジタルサラウンドモード、ダウンミックス処理、タイムアライメント処理のうち少なくともいずれか一つを上記音声処理に設定することを特徴とするディスク再生装置。
【請求項２】
ディスクに記録された内容を読み出す再生手段と、上記再生手段からの再生出力が入力される音声及び／または画像処理手段と、少なくともディスク情報を記憶する記憶手段と、上記再生手段を制御する制御手段とを備えたディスク再生装置であって、
ディスク再生時に、上記制御手段がディスク情報を読み出して上記記憶手段に記憶されたディスク情報と比較し、一致するディスク情報があった場合に、該等するディスクの記録密度、再生フォーマットのうち少なくともいずれか一つに基づいて、上記再生手段を制御することを特徴とする再生装置。
【請求項３】
ディスクに記録された内容を読み出す再生手段と、上記再生手段からの再生出力が入力される音声及び／または画像処理手段と、少なくともディスク情報を記憶する記憶手段と、上記音声及び／または画像処理手段の特性を調整する制御手段とを備えたディスク再生装置であって、
上記制御手段がディスク情報に基づいてインターネットサーバから推奨パラメータを取得し、上記ディスク情報と対応付けて上記記憶手段に記憶するとともに、当該推奨パラメータを上記音声及び／または画像処理手段に設定することを特徴とするディスク再生装置。
【請求項４】
ディスクに記録された内容を読み出す再生手段と、上記再生手段からの再生出力が入力される音声及び／または画像処理手段と、少なくともディスク情報を記憶する記憶手段と、上記再生手段を制御する制御手段とを備えたディスク再生装置であって、
上記制御手段がディスク情報に基づいてインターネットサーバから推奨制御情報を取得し、上記ディスク情報と対応付けて上記記憶手段に記憶するとともに、当該推奨制御情報により上記再生手段を制御することを特徴とするディスク再生装置。
【手続補正２】
【補正対象書類名】明細書
【補正対象項目名】００１７
【補正方法】変更
【補正の内容】
【００１７】
上記の目的を達成するため、本発明に係るディスク再生装置（１）は、ディスクに記録された内容を読み出す再生手段と、上記再生手段からの再生出力が入力される音声処理手段と、少なくともディスク情報を記憶する記憶手段と、上記音声画像処理手段の特性を調整する制御手段とを備えたディスク再生装置であって、ディスク再生時に、上記制御手段がディスク情報を読み出して上記記憶手段に記憶されディスク情報と比較し、一致するディスクがあった場合、該等するディスクの再生チャンネル数、ディジタルサラウンドモード、ダウンミックス処理、タイムアライメント処理のうち少なくともいずれか一つを上記音声処理に設定することを特徴とする。
【手続補正３】
【補正対象書類名】明細書
【補正対象項目名】００１８
【補正方法】変更
【補正の内容】
【００１８】
また、本発明に係るディスク再生装置（２）は、ディスクに記録された内容を読み出す再生手段と、上記再生手段からの再生出力が入力される音声及び／または画像処理手段と、少なくともディスク情報を記憶する記憶手段と、上記再生手段を制御する制御手段とを備えたディスク再生装置であって、ディスク再生時に、上記制御手段がディスク情報を読み出して上記記憶手段に記憶されたディスク情報と比較し、一致するディスク情報があった場合に、該等するディスクの記録密度、再生フォーマットのうち少なくともいずれか一つに基づいて、上記再生手段を制御することを特徴とする。
【手続補正４】
【補正対象書類名】明細書
【補正対象項目名】００１９
【補正方法】変更
【補正の内容】
【００１９】
また、本発明に係るディスク再生装置（３）は、ディスクに記録された内容を読み出す再生手段と、上記再生手段からの再生出力が入力される音声及び／または画像処理手段と、少なくともディスク情報を記憶する記憶手段と、上記音声及び／または画像処理手段の特性を調整する制御手段とを備えたディスク再生装置であって、上記制御手段がディスク情報に基づいてインターネットサーバから推奨パラメータを取得し、上記ディスク情報と対応付けて上記記憶手段に記憶するとともに、当該推奨パラメータを上記音声及び／または画像処理手段に設定することを特徴とする。
【手続補正５】
【補正対象書類名】明細書
【補正対象項目名】００２０
【補正方法】変更
【補正の内容】
【００２０】
また、本発明に係るディスク再生装置（４）は、ディスクに記録された内容を読み出す再生手段と、上記再生手段からの再生出力が入力される音声及び／または画像処理手段と、少なくともディスク情報を記憶する記憶手段と、上記再生手段を制御する制御手段とを備えたディスク再生装置であって、上記制御手段がディスク情報に基づいてインターネットサーバから推奨制御情報を取得し、上記ディスク情報と対応付けて上記記憶手段に記憶するとともに、当該推奨制御情報により上記再生手段を制御することを特徴とする。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
本発明に係るディスク再生装置（１）によれば、ディスク再生時に、収録時間及び収録トラック数等のディスク情報が読み出されて記憶手段に記憶されたディスク情報と比較され、一致するディスク情報があった場合、記憶手段に記憶されている、再生チャンネル数の選択、ディジタルサラウンドモードの選択、ダウンミックス処理の有無、タイムアライメント処理の有無、画質調整パラメータ、イコライザ特性の係数等のディスクの調整パラメータが音声及び／または画像処理手段に自動的に設定されるので、メニュー操作あるいはボタン操作による煩雑な操作を必要とすることなく、ディスクの再生に関連したパラメータ調整を簡単に行うことができる。
【手続補正１６】
【補正対象書類名】明細書
【補正対象項目名】００３１
【補正方法】変更
【補正の内容】
【００３１】
また、本発明に係るディスク再生装置（２）によれば、ディスク再生時に、収録時間及び収録トラック数等のディスク情報が読み出されて記憶手段に記憶されたディスク情報と比較され、一致するディスク情報があった場合、記憶手段に記憶されている、ハイブリッドＣＤでのＣＤ／ＳＡＣＤの選択、ＤＴＳ、ドルビーサラウンドの再生フォーマット等の制御情報により再生手段が自動的に制御されるので、上記と同様に、ユーザが煩雑な操作を行うことなく、ディスクを所望の状態で再生することが可能となる。
【手続補正１７】
【補正対象書類名】明細書
【補正対象項目名】００３２
【補正方法】変更
【補正の内容】
【００３２】
また、本発明に係るディスク再生装置（３）、（４）によれば、ディスク情報に基づいてインターネットサーバから音声及び／または画像処理手段の推奨パラメータあるいは再生手段の推奨制御情報が取得され、この推奨パラメータあるいは推奨制御情報により音声及び／または画像処理手段あるいは再生手段が制御されるので、始めて再生するディスクでも最適パラメータ、最適制御状態を自動的に設定でき、ユーザの操作負担を軽減することができる。